(57)【要約】【課題】使用時には、不用意に折り畳まれてしまうことがなく安定しており、折り畳み時には、コンパクトな大きさで折り畳むことが可能な肘掛け付き折りたたみ椅子を提供する。【解決手段】第１回動軸５１により、前脚２２及び後脚２１をそれらの上部で相互に回転可能に連結すると共に肘掛け部２６の前部を回転可能に支持する。第３の回動軸５３はリンク２７の一端と後脚２１の中間部とを相互に回転可能に連結する。第４の回動軸５４は、リンク２７の他端と座部フレーム２３の中間部とを相互に回転可能に連結する。そして、開脚状態において、第１回動軸５１と第４回動軸５４とを結ぶ線分３０に対し、第３回動軸５３が前脚２２の反対側に位置するように、第１，第３及び第４回動軸の位置が設定されている。【選択図】図１
2008011962.tif 000002
【特許請求の範囲】
【請求項１】
前脚と、後脚と、座部と、背部と、肘掛け部と、リンクと、前記前脚及び後脚をそれらの上部で相互に回転可能に連結すると共に前記肘掛け部の前部を回転可能に支持する第１回動軸と、前記前脚の中間部と前記座部の前部とを相互に回転可能に連結する第２回動軸と、前記リンクの一端と前記後脚の中間部とを相互に回転可能に連結する第３回動軸と、前記リンクの他端と前記座部の中間部とを相互に回転可能に連結する第４回動軸と、前記座部の後部と前記背部の下部とを相互に回転可能に連結する第５回動軸と、前記肘掛け部の後部と前記背部とを回転可能に連結する第６回動軸とを有し、開脚状態において、前記第１回動軸と前記第４回動軸とを結ぶ線分に対し前記第３回動軸が前記前脚の反対側に位置するように前記第１，第３及び第４回動軸の位置が設定されていることを特徴とする肘掛け付き折りたたみ椅子。
【請求項２】
前記第３回動軸は、前記後脚から後方に張り出した第１連結部の先端に設けられており、この第１連結部の先端と前記リンクの一端とが前記第３回動軸により回転可能に連結されていることを特徴とする請求項１に記載の肘掛け付き折りたたみ椅子。
【請求項３】
前記第２回動軸は、前記前脚から後方に張り出した第２連結部の先端に設けられており、この第２連結部の先端と前記座部の前部とが前記第２回動軸により回転可能に連結されていることを特徴とする請求項１又は２に記載の肘掛け付き折りたたみ椅子。
【発明の詳細な説明】
【技術分野】
【０００１】
本発明は、木製又は金属製の肘掛け付き折りたたみ椅子に関し、特に、安定性及び折りたたみ時のコンパクト性を向上させた肘掛け付き折りたたみ椅子に関する。
【背景技術】
【０００２】
肘掛けを有しない折りたたみ椅子として、特許文献１に記載されたものがあり、肘掛け付きの折りたたみ椅子として、特許文献２に記載されたものがあり、いずれも、背部と座部を重ねる方向に回転させて折り畳むものである。特許文献１に記載された肘掛け無しの折りたたみ椅子は、金属パイプを略Ｕ字形に成形し、その開放端側に背もたれを取り付けた前脚と、金属パイプを略Ｕ字形に成形した後脚と、前脚と後脚とに軸支される座部とからなり、前脚と後脚とを接近させることにより、座部が跳ね上がり、前脚、後脚及び座部を略平面的に折り畳むように構成されている。しかし、この特許文献１に記載の折り畳み椅子は、背部と座部が重なるようにして折り畳まれるため、踏み台として、座部の後部に立ち上がる等、座部の後部に局部的に体重が印加されるような使用の仕方を行うと、座部が不用意に跳ね上がって折り畳み動作が生じてしまい、危険である。
【０００３】
一方、特許文献２に記載された肘掛け付きの木製折り畳み椅子は、この不用意な折り畳み動作を防止したものである。図９及び図１０は、この特許文献２に開示された肘掛け付き折り畳み椅子を示す斜視図である。後脚１及び前脚２が相互にほぼ平行に、また肘掛け部８及び座部１１が相互にほぼ平行になるように、後脚１及び前脚２と、肘掛け部８及び座部１１とが夫々相互に回転可能に軸支されている。そして、前脚２の座部近傍の部分に支持脚３の上端が回転可能に連結されており、この支持脚３の下部にはリンク１６の下端が回転可能に連結され、このリンク１６の上端には、後脚１の下端が回転可能に連結されている。
【０００４】
このため、図９に示すように、椅子としての使用時には、リンク１６は下端が後方に位置し、上端が前方に位置するように傾斜しており、座部１１に印加された荷重は、後脚１を介して、リンク１６に対し図示で反時計方向に回転する方向に印加され、従って、支持脚３には、前脚２から開く方向に荷重が印加される。このように、座部１１の後部に印加される荷重は、支持脚３を開く方向に前脚２，支持脚３及び後脚１に作用し、開脚状態を安定して維持する。一方、折り畳み操作時には、図１０に示すように、後脚１の上半部に設けられた背もたれ部４を前方に倒し、背もたれ部４を座部１１に重ねるように、各部材を回転させる。これにより、折り畳みが完了する。
【０００５】
【特許文献１】特開平６−２６９３３０号公報
【特許文献２】特開２００２−１６５６６６号公報
【発明の開示】
【発明が解決しようとする課題】
【０００６】
しかしながら、上述の特許文献２に開示された肘掛け付き折り畳み椅子は、背もたれ部４を前方に押すと、そのまま折り畳まれてしまうという問題点がある。このため、第３者が不用意に背もたれ部４を押すと、椅子に腰掛けている使用者の意図とは別に不用意に椅子が折り畳まれる危険性がある。
また、特許文献２に記載の椅子は、折りたたみ時に、リンク１６が、左右の支持脚３の下端部を連結するトグルを乗り越えない範囲でしか回転できないため、支持脚３の回転移動量が少なく、このために、後脚１が移動しきれない分、折りたたみ状態の形状が大きくなるという問題点もある。
【０００７】
本発明はかかる問題点に鑑みてなされたものであって、使用時には、不用意に折り畳まれてしまうことがなく安定しており、折り畳み時には、コンパクトな大きさで折り畳むことが可能な肘掛け付き折りたたみ椅子を提供することを目的とする。
【課題を解決するための手段】
【０００８】
本発明に係る肘掛け付き折りたたみ椅子は、前脚と、後脚と、座部と、背部と、肘掛け部と、リンクと、前記前脚及び後脚をそれらの上部で相互に回転可能に連結すると共に前記肘掛け部の前部を回転可能に支持する第１回動軸と、前記前脚の中間部と前記座部の前部とを相互に回転可能に連結する第２回動軸と、前記リンクの一端と前記後脚の中間部とを相互に回転可能に連結する第３回動軸と、前記リンクの他端と前記座部の中間部とを相互に回転可能に連結する第４回動軸と、前記座部の後部と前記背部の下部とを相互に回転可能に連結する第５回動軸と、前記肘掛け部の後部と前記背部とを回転可能に連結する第６回動軸とを有し、開脚状態において、前記第１回動軸と前記第４回動軸とを結ぶ線分に対し前記第３回動軸が前記前脚の反対側に位置するように前記第１，第３及び第４回動軸の位置が設定されていることを特徴とする。
【０００９】
この場合に、前記第３回動軸は、前記後脚から後方に張り出した第１連結部の先端に設けられており、この第１連結部の先端と前記リンクの一端とが前記第３回動軸により回転可能に連結されていることが好ましい。
【００１０】
また、前記第２回動軸は、前記前脚から後方に張り出した第２連結部の先端に設けられており、この第２連結部の先端と前記座部の前部とが前記第２回動軸により回転可能に連結されていることが好ましい。
【発明の効果】
【００１１】
本発明においては、開脚状態において、第１回動軸と第４回動軸とを結ぶ線分に対し第３回動軸が前脚の反対側に位置するように第１，第３及び第４回動軸の位置が設定されている。従って、開脚状態で座部に荷重が印加された場合に、その荷重はリンクに対し、リンクの座部との回動軸（第４回動軸）をリンクの後脚との回動軸（第３回動軸）に対し前方（前脚側）に回転させるように作用する。このため、第３回動軸を介して後脚には、前脚から開く方向に荷重が印加され、常に安定した開脚状態が維持される。
【００１２】
また、上述の如く、開脚状態においては、前脚及び後脚は安定して開脚状態を維持しているため、背部を前に倒そうとしても、各構成部材の角度関係は変更できず、従って、椅子が不意に折り畳まれてしまうことはない。
【００１３】
一方、椅子を折り畳む場合には、背部を一旦持ち上げ、背部に連結された座部の第４回動軸をリンクの回転により後方に移動させ、第１回動軸と第４回動軸を結ぶ線分よりも、第３回動軸が前方（前脚側）になるようにする。そうすると、背部を前に倒すことができるようになり、背部と座部とを重ねて、更に前脚と後脚とを相互に閉じて、椅子を折り畳むことができる。よって、折り畳み操作は片手で行うことができる。また、本発明においては、リンクが座部に連結された第４回動軸を中心として任意に回転することができるため、後脚の回転移動量は大きく、折りたたみ時のコンパクト化が可能である。
【発明を実施するための最良の形態】
【００１４】
以下、本発明の実施形態について添付の図面を参照して具体的に説明する。図１は本発明の実施形態に係る肘掛け付き椅子１００の開脚状態を示す側面図、図２は椅子１００の折り畳み操作を示す側面図、図３は椅子１００の折り畳み操作の図２の次の工程を示す側面図、図４は椅子１００の折り畳まれた状態を示す側面図、図５乃至図８は椅子１００の開脚状態を示し、図５は正面図、図６は背面図、図７は上面図、図８は底面図である。
【００１５】
左右１対の前脚２２と左右１対の後脚２１とが、左右の夫々において、各上端部で、第１回動軸５１により回転可能に連結されている。図５に示すように、前脚２１は後脚２１よりも左右方向の外側に配置されている。座部２４はその下面にフレーム２３が設けられており、このフレーム２３の左右側縁部の前後方向の前部に第２回動軸５２が設けられていて、前脚２２から後方に張り出した第２連結部２９の先端が第２回動軸５２に回転可能に連結されている。従って、座部フレーム２３の前部と前脚２２から後方に張り出した第２連結部２９の先端とが第２回動軸５２により回転可能に連結され、前脚２２と座部２４（フレーム２４）とが第２回動軸５２により回転可能に連結されている。なお、第２連結部２９と前脚２２とのなす角度は一定である。
【００１６】
また、座部フレーム２３の左右側縁部の前後方向の中間部には、左右１対の第４回動軸５４が設けられており、この第４回動軸にはリンク２７の上端部（他端）が回転可能に連結されている。そして、各後脚２１の中間部には第１連結部２８が後方に張り出すように設けられており、この第１連結部２８の先端に第３回動軸５３が設けられている。この第３回動軸５３にはリンク２７の下端部（一端）が回転可能に連結されている。第１連結部２８は後脚２１に対してそのなす角度が一定になるように固定されているが、リンク２７は第３回動軸５３で第１連結部２８（後脚２１）に対して回転可能に連結され、また、第４回動軸５４で座部２４のフレーム２３に回転可能に連結されている。
【００１７】
座部２４のフレーム２３の左右側縁部の前後方向の後部と、背部２５の下端部とは、第５回動軸５５により回転可能に連結されている。
【００１８】
肘掛け部２６はその前部に下方に延出する延出部３０が設けられており、この延出部３０の下端が、第１回動軸５１により回転可能に支持されている。従って、肘掛け部２６の前部、前脚２２の上端及び後脚２１の上端が、第１回動軸５１により回転可能に連結されている。肘掛け部２６の後部は、背部２５の中間部に、第６回動軸５６により回転可能に連結されている。
【００１９】
本発明においては、図１及び図２に破線にて示すように、第１回動軸５１と第４回動軸５４とを結ぶ線分３０（破線にて示す）に対し、椅子の開脚時（図１）には、第３回動軸５３が後方に位置し、椅子の折りたたみ操作時（図２）には、第３回動軸５３が前方に位置するように、第１回動軸５１、第３回動軸５３及び第４回動軸５４の設置位置が設定されている。
【００２０】
次に、上述の如く構成された本実施形態の肘掛け付き折りたたみ椅子の動作について説明する。図１及び図５乃至８に示すように、椅子の開脚状態においては、前脚２２と後脚２１とを連結する第１回動軸５１と、リンク２７と座部フレーム２３とを連結する第４回動軸５４とを結ぶ線分３０に対し、リンク２７と後脚２１（第１連結部２８）とを連結する第３回動軸５３の位置が、後方に位置している。このため、座部２４に荷重が印加された場合に、その荷重は第４回動軸５４、リンク２７及び第３回動軸５３を介して後脚２１に伝達されるが、第４回動軸５４に作用する荷重（下方の力）は、リンク２７に対し、リンク２７が第３回動軸５３を中心として前方に倒れる方向に作用する。このため、反作用として、リンク２７は座部フレーム２３に連結された第４回動軸５４を中心として、第３連結部５３を介して後脚２１に対して後方に力を及ぼす。これにより、座部２４に印加される荷重により、後脚２１には、常に、後方への力が作用し、つまり、後脚２１には常に開脚の方向に力が作用する。これは、座部２４のいずれの領域に荷重が印加された場合でも同様であり、従って、座部２４の後部に人が立つ等、後部に局部的に荷重が印加された場合でも同様である。よって、本実施形態の椅子１００は、開脚状態を安定して維持する。
【００２１】
また、背部２５を前方に押して背部２５を座部２３に重ねようとしても、前述のように、前脚２２及び後脚２１は安定して開脚状態を維持しているため、肘掛け部２６と、背部２５と、座部フレーム２３と、前脚２２及び後脚２１とから構成される構成部材の角度関係は変更できず、従って、椅子１００が不意に折り畳まれてしまうことはない。
【００２２】
次に、椅子１００を折り畳む場合には、図２に示すように、背部２５の上端をつかんで、背部２５を若干持ち上げる。そうすると、座部フレーム２４も後部が持ち上がり、リンク２７が起立して、第４回動軸５４が後方に回動する。これにより、第１回動軸５１と第４回動軸５４とを結ぶ線分３０に対し、第３回動軸５３が前方側に位置するようになる。そうすると、後脚２１は前脚２２に接近する方向に回動できるようになり、従って、背部２５を倒して座部２４に重なる方向に背部２５を回動させることができる。
【００２３】
そして、このとき、背部２５の上端を持ちつつ、図３に示すように、後脚２１の下端を床面で支持させる。その後、背部２５を下げると、座部フレーム２３の前部が持ち上がり、後部が下降する方向に、座部フレーム２３が回動し、図４に示すように、椅子１００を折り畳むことができる。
【００２４】
よって、この折りたたみ操作を、片手でおこなうことができ、極めて操作が容易である。しかも、折り畳まれた状態では、その長さ（高さ）は、後脚２１の長さにより決まり、その他の部材は肘掛け部２６の前部の一部を除いて後脚２１に全て重なり、折りたたみ時の高さが低いものとなる。このように、本実施形態で、折りたたみ時の椅子の長さ（折りたたみ高さ）が後脚２１の長さで決まり、折りたたみ時の高さが低いのは、肘掛け部２６と後脚２１との連結位置（第１回動軸５１）の位置が肘掛け部２６の可及的前方であるからである。
【００２５】
また、後脚２１の第３の回動軸５３は、第１の連結部２８により後脚２１より若干後方に張り出した位置に設けられている。このため、椅子１００が折り畳まれたときに、この第３の回動軸５３は座部２４の側方に位置し、折りたたみ時の厚さを薄くできる。また、リンク２７は他の部材に邪魔されず、任意に回転できるので、後脚２１の回転移動量を大きくすることができ、折りたたみ時の形状をコンパクト化することができる。
【図面の簡単な説明】
【００２６】
【図１】本発明の実施形態に係る肘掛け付き椅子１００の開脚状態を示す側面図である。
【図２】椅子１００の折り畳み操作を示す側面図である。
【図３】椅子１００の折り畳み操作の図２の次の工程を示す側面図である。
【図４】椅子１００の折り畳まれた状態を示す側面図である。
【図５】椅子１００の開脚状態を示す正面図である。
【図６】椅子１００の開脚状態を示す背面図である。
【図７】椅子１００の開脚状態を示す上面図である。
【図８】椅子１００の開脚状態を示す底面図である。
【図９】従来の肘掛け付き折りたたみ椅子の開脚状態を示す斜視図である。
【図１０】同じくその折りたたみ過程を示す斜視図である。
【符号の説明】
【００２７】
２１:後脚
２２：前脚
２３：座部フレーム
２４：座部
２５：背部
２６：肘掛け部
２７：リンク
２８：第１連結部
２９：第２連結部
３０：延出部
５１：第１回動軸
５２：第２回動軸
５３：第３回動軸
５４：第４回動軸
５５：第５回動軸
５６：第６回動軸
１００：肘掛け付き折りたたみ椅子
【図１】
2008011962.tif 000003
【図２】
2008011962.tif 000004
【図３】
2008011962.tif 000005
【図４】
2008011962.tif 000006
【図５】
2008011962.tif 000007
【図６】
2008011962.tif 000008
【図７】
2008011962.tif 000009
【図８】
2008011962.tif 000010
【図９】
2008011962.tif 000011
【図１０】
2008011962.tif 000012